(57)【要約】【課題】  多段に積み重ねて陳列しても、蓋体が潰れにくい包装用容器を提供する。【解決手段】  本発明に係る包装用容器は、容器本体１と蓋体２とを備え、容器本体１の底面部１０に形成された凸部１３を受け入れるための凹部２３が蓋体２の天面部２０に形成され、容器本体１の凸部１３が蓋体２の凹部２３に入り込むようにして多段に積み重ねることが可能な包装用容器において、蓋体２の凹部２３の周縁に、蓋体２内に突出する凸条からなる屈曲部２４が形成される。この屈曲部２４は、緩衝用としても補強用としても機能する。【選択図】図２
2010052789.tif 000002
【特許請求の範囲】
【請求項１】
容器本体と蓋体とを備え、容器本体の底面部に形成された凸部を受け入れるための凹部が蓋体の天面部に形成され、容器本体の凸部が蓋体の凹部に入り込むようにして多段に積み重ねることが可能な包装用容器において、蓋体の凹部の周縁に、蓋体内に突出する凸条からなる屈曲部が形成されることを特徴とする包装用容器。
【請求項２】
蓋体の天面部の外周から下方に延びる周壁部に、リブが周方向に適宜間隔を有して形成される請求項１に記載の包装用容器。
【請求項３】
蓋体の天面部の外周から下方に延びる周壁部の一部に、斜めに傾斜した傾斜面部が形成される請求項１又は２に記載の包装用容器。
【発明の詳細な説明】
【技術分野】
【０００１】
本発明は、多段に積み重ねて陳列される包装用容器に関する。
【背景技術】
【０００２】
スーパー、デパートあるいはコンビニエンスストア等における食品売り場では、生鮮食品、加工食品といった食品を収容するためのプラスチック製包装用容器が使用される。この種の包装用容器は、熱可塑性プラスチックシートを成形することにより製造され、上向きに開口する容器本体と、これに嵌合される蓋体とを備え、容器本体の開口部が容器本体と蓋体との嵌合構造により開閉可能とされる。
【０００３】
また、この種の包装用容器の中には、容器本体の底面部に凸部が形成され、蓋体の天面部に容器本体の凸部が入り込む凹部が形成され、容器本体に食品を入れて蓋体を締め、包装した状態の商品を多段に積み重ねて陳列するようにしたものがある（特許文献１を参照）。そのため、この種の包装用容器は、容器本体にある程度の剛性が必要となるだけでなく、蓋体についても、多段積みした際に潰れない程度の強度を有していることが必要となってくる。
【特許文献１】特開２００７−６２８１８号公報
【０００４】
蓋体に必要な強度を持たせるには、蓋体の素材に厚みのある熱可塑性プラスチックシートを使用すればよいということになる。しかしながら、近年の原油価格の高騰から容器本体や蓋体の原材料である熱可塑性プラスチックシートの値段が上がっており、できるだけ薄いシートを使用して成形した低コストの包装用容器が求められている。
【発明の開示】
【発明が解決しようとする課題】
【０００５】
但し、このような要請に応えるため、単に薄いシートを使用して成形するだけでは、包装用容器の強度が弱くなってしまう。そして、そうなると、包装用容器を多段に積み重ねて陳列する場合、積み重ねられた包装用容器とそこに収容した食品の重量とがその下に配置された包装用容器の蓋にかかるため、その蓋が潰れやすくなってしまう。
【０００６】
また、容器本体の底面部に凸部が形成され、蓋体の天面部に容器本体の凸部が入り込む凹部が形成された包装用容器においては、凸部の下面に全荷重が集中し、それを蓋体の凹部で受けるようになっている。そして、そうなると、凹部が下方に若干変位し、また、これに伴って、蓋体の周壁部の上端部が中心側下方に引き込まれるようにして変形し、あるいは、ひどくなるとその変形箇所が白濁し、その結果、陳列時の商品の見栄えが悪くなるという問題が生じる。
【０００７】
そこで、本発明は、上記問題に鑑みてなされたもので、多段に積み重ねて陳列しても、蓋体が潰れにくい包装用容器を提供することを課題とする。
【課題を解決するための手段】
【０００８】
本発明に係る包装用容器は、上記課題を解決すべく構成されたもので、容器本体と蓋体とを備え、容器本体の底面部に形成された凸部を受け入れるための凹部が蓋体の天面部に形成され、容器本体の凸部が蓋体の凹部に入り込むようにして多段に積み重ねることが可能な包装用容器において、蓋体の凹部の周縁に、蓋体内に突出する凸条からなる屈曲部が形成されることを特徴とする。
【０００９】
かかる構成によれば、積み重ねられることにより上からの力が蓋体の凹部に加わり、凹部がその力により下方に若干変位したとしても、屈曲部にて緩衝され、周壁部に力が伝達されることはない。従って、蓋体の周壁部が変形してしまうようなことはなく、陳列時の商品の見栄えが非常に良好である。尚、屈曲部は、蓋体の凹部の周縁に沿って全周に形成されている必要はなく、緩衝作用が全体として有効に働く限りにおいて、凹部の周縁の一部に屈曲部が形成されていない形態も採用することができる。
【００１０】
また、本発明に係る包装用容器は、蓋体の天面部の外周から下方に延びる周壁部に、リブが周方向に適宜間隔を有して形成される構成を採用することができる。
【００１１】
かかる構成によれば、屈曲部と併せて、蓋体の強度をより一層向上することができる。
【００１２】
また、本発明に係る包装用容器は、蓋体の天面部の外周から下方に延びる周壁部の一部に、斜めに傾斜した傾斜面部が形成される構成を採用することができる。
【００１３】
かかる構成によれば、例えば、商品表示用ラベルを貼付することが可能となる。しかも、傾斜面部もリブと同様、蓋体の強度を向上する効果がある。
【発明の効果】
【００１４】
以上の如く、本発明は、蓋体の凹部の周縁に、蓋体内に突出する凸条からなる屈曲部が形成されるため、多段に積み重ねて陳列しても、蓋体が潰れにくい。
【発明を実施するための最良の形態】
【００１５】
以下、本発明の一実施形態に係る包装用容器（以下、単に「容器」という）について、図面を参酌しつつ説明する。
【００１６】
図１及び図２に示す如く、本実施形態に係る容器は、上向きに開口する容器本体１と、これに嵌合される蓋体２とからなる。また、容器は、閉蓋状態、即ち、容器本体１に蓋体２が取り付けられた状態で、円形をなす、いわゆる円形容器である。そのため、容器は、平面視にて円形を呈しており、容器本体１、蓋体２の何れもが平面視にて円形を呈する。
【００１７】
容器本体１及び蓋体２は、プラスチックシート（合成樹脂製シート）を成形して構成され、プラスチックとしては、例えば、ポリプロピレン（ＰＰ）、ポリエチレンテレフタレート（ＰＥＴ）、あるいはポリスチレン（ＰＳ）等の材質が用いられる。また、容器本体１は、着色が施されて不透明であってもよく、蓋体２を介して内容物を視認することができる点で、蓋体２は透明であるのが好ましい。
【００１８】
容器本体１は、底面部１０と、該底面部１０の外周から上方に延びる（立ち上がる）、より詳しくは、上方側ほど外方に膨らむように傾斜して上方に延びる周壁部１１と、該周壁部１１の外周に沿って設けられる外周部１２とからなる。一方、蓋体２は、天面部２０と、該天面部２０の外周から下方に延びる（垂下する）、より詳しくは、下方側ほど外方に膨らむように傾斜して下方に延びる周壁部２１と、該周壁部２１の外周に沿って設けられる外周部２２とからなる。
【００１９】
蓋体２は、容器本体１の外径よりも小さく、即ち、蓋体２の外周部２２の外径は、容器本体１の外周部１２の外径よりも小さく、従って、蓋体２の外周部２２が容器本体１の外周部１２の内側で嵌合する、いわゆる内嵌合構造である。但し、内嵌合構造に限らず、いわゆる外嵌合構造（蓋体が容器本体の外径よりも大きく、蓋体の外周部が容器本体の外周部の外側で嵌合する構造）であってもよい。
【００２０】
また、容器本体１の底面部１０には、その中心部が円形に上方に隆起することにより、その外周に環状の凸部１３が下方に突出するようにして形成される（突設される）。この凸部１３における環状の平坦面は、容器を載置した場合に、下面と接触する接触面となる。一方、蓋体２の天面部２０には、容器本体１の凸部１３が入り込む凹部２３が下方に窪むようにして形成される（凹設される）。この凹部２３における円形の平坦面は、積み重ねられた容器の凸部１３が載置される載置面となる。
【００２１】
そして、蓋体２の天面部２０における凹部２３は、容器本体１の底面部１０における凸部１３と同様、円形であり、且つ、凸部１３よりも僅かに大径に形成される。従って、上の容器の凸部１３が下の容器の凹部２３に入り込むようにして容器が多段に積み重ねられた状態では、上の容器は下の容器に対して横ずれすることがない。尚、横ずれしないのであれば、凹部２３に入り込む（係合する）凸部は、環状である必要はなく、例えば、凹部２３の内側に位置するよう環状に配置された複数の突起であってもよい。
【００２２】
さらに、図２の拡大図に示す如く、蓋体２の凹部２３には、その周縁に屈曲部２４が形成される。該屈曲部２４は、凹部２３の周縁に沿った曲線状に形成され、下方に突出する（蓋体２内に突出する）凸条（リブ）である。より詳しくは、屈曲部２４は、間隔を有して対向する内側壁部２４ａ及び外側壁部２４ｂと、該内側壁部２４ａ及び外側壁部２４ｂ（の下縁）を連結する連結部２４ｃとを備える。
【００２３】
屈曲部２４は、蓋体２を成形する際に一体的に形成される。例えば、蓋体２の天面部２０を成形する天面成形部と、蓋体２の周壁部２１を成形する周壁成形部と、蓋体２の外周部２２を成形する外周成形部とを含み、天面成形部の周縁に屈曲部２４を成形するための突出部が形成された型を用いて蓋体２が成形される。
【００２４】
そして、屈曲部２４は、その部分が弾性変形可能な弾性変形部となることで、蓋体２の凹部２３に加わった力が周壁部２１に伝達されにくくなり、また、周壁部２１に加わった力が凹部２３に伝達されにくくなり、従って、凹部２３（天面部２０）と周壁部２１との間の連続性を絶つ緩衝部として作用する。しかしながら、天面部２０が屈曲部２４によって補強され、蓋体２の強度が向上するということで、屈曲部２４は、補強部としても作用する。
【００２５】
尚、蓋体２の周壁部２１の一部には、例えば商品表示用ラベル（図示しない）を貼付するための平坦面が斜めに傾斜した傾斜面部２５が天面部２０（の凹部２３）に跨るようにして形成され、また、該傾斜面部２５が形成される部分以外の周壁部２１には、縦方向のリブ（縦リブ）２６が周方向に複数形成されている。従って、屈曲部２４による強度と併せて、蓋体２の強度をより一層向上することができる。
【００２６】
また、容器本体１の外周部１２や蓋体２の外周部２２は、その外周縁に、図示しないが、成形による細かな凹凸加工やエンボス加工を施すことにより、側面視にて波形（正弦波、三角波、台形波等）の外縁線、即ち、直線ではない外縁線を備えるようになっている。これらにより、容器本体１や蓋体２の外周縁のエッジの鋭利さが解消されるため、例えば、蓋体２を開閉する際の指先を保護することができ、また、包装フィルム（図示しない）を使用してラッピングする際に包装フィルムが裂断するのを防止することができる。さらに、容器本体１や蓋体２の外周縁の強度が増し、容器本体１や蓋体２が裂断するのを防止する効果もある。また、蓋体２の外周縁の一部に、開蓋用の摘み片２７が形成される。
【００２７】
本実施形態に係る容器は、以上の構成からなり、無負荷な状態から、容器が積み重ねられることにより上からの力が蓋体２の凹部２３に加わった状態となり、凹部２３がその力により下方に若干変位したとしても（図４の一点鎖線を参照）、屈曲部２４にて緩衝され、周壁部２１に力が伝達されることはない。従って、周壁部２１の上端部が中心側下方に引き込まれるような変形は生じず、陳列時の商品の見栄えが非常に良好である。
【００２８】
また、屈曲部２４は、蓋体２を補強するものであるから、できるだけ薄いシートを使用して成形した低コストの包装用容器を実現することができる。
【００２９】
尚、本発明は、上記実施形態に限定されるものではなく、本発明の要旨を逸脱しない範囲で種々の変更が可能である。
【００３０】
例えば、上記実施形態においては、屈曲部２４の連続する内側壁部２４ａ、連結部２４ｃ及び外側壁部２４ｂが略Ｕ字状を呈するが、屈曲部の断面形状は特に限定されない。但し、緩衝作用を有効に働かすためには、内側壁部２４ａと外側壁部２４ｂとが離間しているのが好ましい。
【００３１】
また、上記実施形態においては、傾斜面部２５が蓋体２の天面部２０（の凹部２３）と周壁部２１とに跨って形成されることにより、屈曲部２４は、傾斜面部２５において断続となるが、傾斜面部２５を設けない、あるいは、設けたとしても蓋体２の天面部２０（の凹部２３）に跨らせないことにより、屈曲部を環状に形成してもよい。
【００３２】
また、上記実施形態においては、容器本体１の底面部１０の外径と一致するように凸部１３が形成されているが、凸部は、底面部１０よりも小さくして（但し、底面部１０と同心にして）形成してもよい。あるいは、上記実施形態においては、容器本体１の底面部１０に、その中心部が円形に隆起することにより、その外周に環状の凸部１３を形成しているが、中心部の隆起を無くすことで、円形の凸部を形成してもよい。その場合、容器本体１の底面部１０の外径と一致するように凸部を形成したならば、底面部１０と凸部とは構成上、一致することになる。
【００３３】
また、上記実施形態においては、蓋体２の天面部２０の外径と一致するように凹部２３が形成され、天面部２０と凹部２３とが構成上、一致するようにしているが、凹部は、天面部２０よりも小さくして（但し、天面部２０と同心にして）形成してもよい。
【００３４】
また、上記実施形態においては、傾斜面２５は、ラベル貼付用として設けられているが、容器本体１と蓋体２とを結束するバンドを位置させるためのものであってもよい。
【００３５】
また、上記実施形態においては、リブ２６は縦方向に形成されているが、リブは、斜め方向であったり、スパイラル状に形成されるものであってもよい。リブの形成方向や形状は、蓋体２のデザインとの関係でも選択され得る。
【図面の簡単な説明】
【００３６】
【図１】本実施形態に係る包装用容器の外観斜視図を示す。
【図２】同包装用容器の断面図を示す。
【図３】同包装用容器の蓋体の要部拡大断面図を示す。
【符号の説明】
【００３７】
１…容器本体、１０…底面部、１１…周壁部、１２…外周部、１３…凸部、２…蓋体、２０…天面部、２１…周壁部、２２…外周部、２３…凹部、２４…屈曲部、２４ａ…内側壁部、２４ｂ…外側壁部、２４ｃ…連結部、２５…傾斜面部、２６…リブ、２７…摘み片
【図１】
2010052789.tif 000003
【図２】
2010052789.tif 000004
【図３】
2010052789.tif 000005